(57)【要約】【課題】モニタ上に表示された番組情報からジャンル別に所望の番組タイトルを選択しようとしても、ジャンルや番組情報が多数あるので所望の番組タイトルの選択が複雑で手数がかかり、番組タイトルの選択、決定を容易に迅速にできなかったので、この問題点を解決する。【解決手段】視聴頻度の高いジャンルを予めジャンル検索用画面３０で選択して設定し、この設定した結果のジャンル選択用画面５４を番組情報と共に画面５０に表示し、ジャンル選択用画面５４によって選択された番組情報を選ばれないジャンルの番組タイトルを消去し選ばれたジャンルの番組タイトルのみで表示する。そして、この選択された番組タイトルのみが表示された画面上から所望の番組タイトルを選択決定する。【選択図】      図１
2004153432.tif 000002
【特許請求の範囲】
【請求項１】
放送送信側より伝送されるテレビジョン信号を受信するテレビジョン信号受信装置において、前記テレビジョン信号に係る番組情報データを記憶する番組情報記憶手段と、前記番組情報記憶手段から前記番組情報データを読み出してモニタ画面上に番組情報を表示する表示手段と、予め決められた大ジャンル及び中ジャンルからなる分類データから検索用として所望のジャンルを選んで設定するためのジャンル検索用画面を前記表示手段の画面上に形成するジャンル検索用画面形成手段と、前記ジャンル検索用画面形成手段により検索用として設定された結果のジャンルを前記表示手段の画面に前記番組情報と共にジャンル選択用画面として表示するジャンル選択用画面表示手段と、前記ジャンル選択用画面に従ってジャンルを選択するジャンル選択手段と、前記ジャンル選択手段による選択により選ばれない番組タイトルを消去して選ばれた番組タイトルのみを表示する選択番組表示手段と、前記選択番組表示手段により表示された番組情報表示画面をスクロールするスクロール手段と、前記スクロール手段によって得られる新たな番組情報が前記ジャンル選択手段によって選ばれないジャンルの番組タイトルを消去して選択ばれたジャンルの番組タイトルのみを表示するスクロール表示手段と、それぞれの前記選択番組表示手段により表示された番組情報表示画面から所望の番組タイトルを選択して受信を決定する決定手段とを備えていることを特徴とするテレビジョン信号受信装置。
【請求項２】
放送送信側より伝送されるテレビジョン信号を受信するテレビジョン信号受信装置において、前記テレビジョン信号に係る番組情報データを記憶する番組情報記憶手段と、前記番組情報記憶手段から前記番組情報データを読み出してモニタ画面上に番組情報を表示する表示手段と、予め決められた分類データから検索用として所望のジャンルを選んで設定するためのジャンル検索用画面を前記表示手段の画面上に形成するジャンル検索用画面形成手段と、前記ジャンル検索用画面形成手段により検索用として設定された結果のジャンルを前記表示手段の画面に前記番組情報と共にジャンル選択用画面として表示するジャンル選択用画面表示手段と、前記ジャンル選択用画面に従ってジャンルを選択するジャンル選択手段と、前記ジャンル選択手段による選択により選ばれない番組タイトルを消去して選ばれた番組タイトルのみを表示する選択番組表示手段と、前記選択番組表示手段により表示された番組情報表示画面から所望の番組タイトルを選択して受信を決定する決定手段とを備えていることを特徴とするテレビジョン信号受信装置。
【請求項３】
前記ジャンル検索用画面形成手段における分類データは予め決められた大ジャンル及び中ジャンルからなることを特徴とする請求項２記載のテレビジョン信号受信装置。
【請求項４】
放送送信側より伝送れるテレビジョン信号を受信するテレビジョン信号受信装置において、前記テレビジョン信号に係る番組情報データを記憶し、前記記憶された番組情報データを読み出し、予め決められた大ジャンル及び中ジャンルからなる分類データから検索用として所望のジャンルを選んで設定するためのジャンル検索用画面を形成し、前記ジャンル検索用画面で設定された結果をジャンル選択用画面として前記読み出された番組情報と共に同一画面に表示し、前記ジャンル選択用画面に従ってジャンルを選択し、選択された結果が選ばれないジャンルの番組タイトルを消去し選ばれたジャンルの番組タイトルのみを表示し、スクロールされて得られた新たな番組タイトルが前記ジャンルの選択結果と同じく選ばれないジャンルの番組タイトルを消去し選ばれたジャンルの番組タイトルのみを表示し、それぞれの前記選択されたジャンルの番組タイトルの表示画面から所望の番組タイトルを選択して受信を決定することを特徴とするテレビジョン信号受信装置。
【請求項５】
放送送信側より伝送れるテレビジョン信号を受信するテレビジョン信号受信装置において、前記テレビジョン信号に係る番組情報データを記憶し、前記記憶された番組情報データを読み出し、予め決められた分類データから検索用として所望のジャンルを選んで設定するためのジャンル検索用画面を形成し、前記ジャンル検索用画面で設定された結果をジャンル選択用画面として前記読み出された番組情報と共に同一画面に表示し、前記ジャンル選択用画面に従ってジャンルを選択し、選択された結果が選ばれないジャンルの番組タイトルを消去し選ばれたジャンルの番組タイトルのみを表示し、前記選ばれたジャンルの番組タイトルの表示画面から所望の番組タイトルを選択して受信を決定することを特徴とするテレビジョン信号受信方法。
【請求項６】
前記分類データは予め決められた大ジャンル及び中ジャンルからなることを特徴とする請求項５記載のテレビジョン信号受信方法。
【発明の詳細な説明】
【０００１】
【発明の属する技術分野】
本発明は放送送信側より伝送されるテレビジョン信号を受信するテレビジョン信号受信装置において、テレビジョン信号に係る番組情報データに基づき所望の番組タイトルを選択して決定するテレビジョン信号受信装置及びテレビジョン信号受信方法に関する。
【０００２】
【従来の技術】
例えば、通信衛星放送（ＣＳ：Ｃｏｍｍｕｎｉｃａｔｉｏｎ  Ｓａｔｅｌｌｉｔｅ）や放送衛星（ＢＳ：Ｂｒｏａｄｃａｓｔｉｎｇ  Ｓａｔｅｌｌｉｔｅ）を用いたディジタル衛星テレビジョン放送においては、視聴者に対するサービスの一環として電子番組ガイド（ＥＰＧ：ＥｌｅｃｔｒｏｎｉｃＰｒｏｇｒａｍ  Ｇｕｉｄｅ）が映像及び音声のデータと共に送信されている。また、今後放送が予定されている地上波ディジタルテレビジョン放送においても前記ＥＰＧのサービスが行われると考えられる。
【０００３】
ディジタルテレビジョン放送は多チャンネル放送であることにより、ＥＰＧは視聴者のチャンネルを選択する情報源として極めて重要である。そこで、受信側において、受信されるデータに含まれるＥＰＧを画面上に表示するようにしている。そして、視聴者は、その画面上の夫々チャンネルの番組タイトル、内容、放送時間等を把握し、この多数の番組情報から所望のチャンネルの番組タイトルを選択するようにしている。
【０００４】
このように多数のチャンネル、番組、時間等の情報が同時に画面上で表示されると、視聴者はその選択に手間がかかってしまう。そこで、視聴者が望んでいるジャンルから検索して所望のチャンネルの番組タイトルを選択することが取られている。
【０００５】
ジャンルから検索する技術としては、ジャンルの検索のための検索条件設定画面をモニタ上に表示し、この画面でジャンルの検索を行う技術が提案されている（例えば、特許文献１参照）。
【０００６】
上記の従来技術では、多数のジャンルが同時に検索画面に表示されると、そこから目的とするジャンルを選択すること自体が面倒である。そこで、いつも視聴者が選択するジャンルを予め選んでおき、このデータに基づいて少ないジャンル別から所望の番組を絞り込むという方法も考えられる。しかし、検索された番組を見やすいように並び替える技術は存在するが（例えば、特許文献２参照）、検索用のジャンルを取扱い易いように編集するものは存在しない。特に、ジャンル数が多く。しかも選択すべき番組タイトルが多い場合にあっては、目的の番組タイトルを選べるまでに多大の手数を要した。
【０００７】
【特許文献１】
特開２０００−３４１６０１号公報
【特許文献２】
特開２００２−１１２１４２号公報
【０００８】
【発明が解決しようとする課題】
そこで、本発明は、視聴者が最も使用するジャンルを検索に適した状態に編集して表示し、従来技術の課題を解決して迷わずに目的の番組タイトルを容易に選べることができるテレビジョン信号受信装置及びテレビジョン信号受信方法を提供することを目的とする。
【０００９】
【課題を解決するための手段】
上記目的を達成するために、本発明の装置は、放送送信側より伝送されるテレビジョン信号を受信するテレビジョン信号受信装置において、前記テレビジョン信号に係る番組情報データを記憶する番組情報記憶手段と（例えば、メモリ７から構成される手段）、前記番組情報記憶手段から前記番組情報データを読み出してモニタ画面上に番組情報を表示する表示手段（例えば、ＥＰＧデコーダ６、ＥＰＧ画面構成部１７、画像表示部１０等から構成される手段）と、予め決められた大ジャンル及び中ジャンルからなる分類データから検索用として所望のジャンルを選んで設定するためのジャンル検索用画面（例えば、ジャンル検索用画面３０）を前記表示手段の画面上に形成するジャンル検索用画面形成手段（例えば、ＥＰＧデコーダ６、ＥＰＧ画面構成部１７、ジャンル処理部１８、画像表示部１０等から構成される手段）と、前記ジャンル検索用画面形成手段により検索用として設定された結果のジャンルを前記表示手段の画面（例えば、画面５０、６０）に前記番組情報と共にジャンル選択用画面（例えば、ジャンル選択用画面５４）として表示するジャンル選択用画面表示手段（例えば、ＥＰＧ画面構成部１７、ジャンル処理部１８、画像表示部１０等から構成される手段）と、前記ジャンル選択用画面に従ってジャンルを選択するジャンル選択手段（例えば、システム制御部１４、カーソル制御部１５等から構成される手段）と、前記ジャンル選択手段による選択により選ばれない番組タイトルを消去して選ばれた番組タイトルのみを表示する選択番組表示手段（例えば、ＥＰＧ画面構成部１７、画像表示部１０等から構成される手段）と、前記選択番組表示手段により表示された番組情報表示画面をスクロールするスクロール手段（例えば、スクロール制御部１６から構成される手段）と、前記スクロール手段によって得られる新たな番組情報が前記ジャンル選択手段によって選ばれないジャンルの番組タイトルを消去して選ばれたジャンルの番組タイトルのみを表示するスクロール表示手段（例えば、ＥＰＧデコーダ６、ＥＰＧ画面構成部１７、画像表示部１０等から構成される手段）と、それぞれの番組情報から所望の番組タイトルを選択して受信を決定手段（例えば、システム制御部１４、カーソル制御部１６等から構成される手段）とを備えているテレビジョン信号受信装置である。
【００１０】
また、上記目的を達成するために、本発明装置は、放送送信側より伝送されるテレビジョン信号を受信するテレビジョン信号受信装置において、前記テレビジョン信号に係る番組情報データを記憶する番組情報記憶手段（例えば、メモリ７から構成される手段）と、前記番組情報記憶手段から前記番組情報データを読み出してモニタ画面上に番組情報を表示する表示手段（例えば、ＥＰＧデコーダ６、ＥＰＧ画面構成部１７、画像表示部１０等から構成される手段）と、予め決められた分類データから検索用として所望のジャンルを選んで設定するジャンル検索用画面（例えば、画面検索用画面３０）を前記表示手段の画面上に形成するジャンル検索用画面形成手段（例えば、ＥＰＧデコーダ６、ＥＰＧ画面構成部１７、ジャンル処理部１８、画像表示部１０等から構成される手段）と、前記ジャンル検索用画面形成手段により検索用として設定された結果のジャンルを前記表示手段の画面（例えば、画面５０、６０）に前記番組情報と共にジャンル選択用画面（例えば、ジャンル選択用画面５４）として表示するジャンル選択用画面表示手段（例えば、ＥＰＧ画面構成部１７、ジャンル処理部１８、画像表示部１０等から構成される手段）と、前記ジャンル選択用画面に従ってジャンルを選択するジャンル選択手段（例えば、システム制御部１４、カーソル制御部１５等から構成される手段）と、前記ジャンル検索手段による選択により選ばれない番組タイトルを消去して選ばれた番組タイトルのみを表示する選択番組表示手段（例えば、ＥＰＧ画面構成部１７、画像表示部１０等から構成される手段）と、前記選択番組表示手段により表示された番組情報から所望の番組タイトルを選択して受信を決定手段（例えば、システム制御部１４、カーソル制御部１５等から構成される手段）とを備えているテレビジョン信号受信装置である。
【００１１】
また、上記目的を達成するために、本発明の装置は、上記発明においてジャンル検索用画面形成手段における分類データは予め決められた大ジャンル及び中ジャンルからなるテレビジョン信号受信装置である。
【００１２】
一方、上記目的を達成するために、本発明の方法は、放送送信側より伝送れるテレビジョン信号を受信するテレビジョン信号受信装置において、前記テレビジョン信号に係る番組情報データを記憶し、前記記憶された番組情報データを読み出し（例えば、ＥＰＧデコーダ６による読み出す制御）、予め決められた大ジャンル及び中ジャンルからなる分類データから検索用として所望のジャンルを選んで設定するためのジャンル検索用画面（例えば、ジャンル検索用画面３０）を形成し（例えば、ＥＰＧデコーダ６、ＥＰＧ画面構成部１７、ジャンル処理部１８、画像表示部１０等による形成制御）、前記ジャンル検索用画面で設定された結果をジャンル選択用画面（例えば、ジャンル選択用画面５４）として前記読み出された番組情報と共に同一画面に表示し（例えば、ＥＰＧデコーダ６、ＥＰＧ画面構成部１７、ジャンル処理部１８、画像表示部１０等による表示制御）、前記ジャンル選択用画面に従ってジャンルを選択し（例えば、システム制御部１４、カーソル制御部１５等による選択制御）、選択された結果が選ばれないジャンルの番組タイトルを消去し選ばれたジャンルの番組タイトルのみを表示し（例えば、ＥＰＧ画面構成部１７、画像表示部１０等による表示制御）、スクロールされて得られた新たな番組タイトルが前記ジャンルの選択結果と同じく選択されないジャンルの番組タイトルを消去し選択されたジャンルの番組タイトルのみを表示し（例えば、スクロール制御部１６、ＥＰＧデコーダ６、ＥＰＧ画面構成部１７、画像表示部１０等による表示制御）、それぞれの前記選ばれたジャンルの番組タイトルの表示画面から所望の番組タイトルを選択して受信を決定する（例えば、システム制御部１４、カーソル制御部１５等による決定制御）テレビジョン信号受信方法である。
【００１３】
また、上記目的を達成するために、本発明の方法は、放送送信側より伝送れるテレビジョン信号を受信するテレビジョン信号受信装置において、前記テレビジョン信号に係る番組情報データを記憶し、前記記憶された番組情報データを読み出し（例えば、ＥＰＧデコーダ６による読み出す制御）、予め決められた分類データから検索用として所望のジャンルを選んで設定するためのジャンル検索用画面（例えば、ジャンル検索用画面３０）を形成し（例えば、ＥＰＧデコーダ６、ＥＰＧ画面構成部１７、ジャンル処理部１８、画像表示部１０等による形成制御）、前記ジャンル検索用画面で設定された結果をジャンル選択用画面（例えば、ジャンル選択用画面５４）として前記読み出された番組情報と共に同一画面に表示し（例えば、ＥＰＧデコーダ６、ＥＰＧ画面構成部１７、ジャンル表示部１８、画像表示部１０等による表示制御）、前記ジャンル選択用画面に従ってジャンルを選択し（例えば、システム制御部１４、カーソル制御部等による選択制御）、選択された結果が選ばれないジャンルの番組タイトルを消去し選ばれたジャンルの番組タイトルのみを表示し（例えば、ＥＰＧ画面構成部１７、画像表示部１０等による表示制御）、前記選ばれたジャンルの番組タイトルの表示画面から所望の番組タイトルを選択して受信を決定する（例えば、システム制御部１４、カーソル制御部１５等による決定制御）テレビジョン信号受信方法である。
【００１４】
更に、上記目的を達成するために、本発明の方法は、上記発明において分類データは予め決められた大ジャンル及び中ジャンルからなるテレビジョン信号受信方法である。
【００１５】
【発明の実施の形態】
以下、図面を用いて本発明の実施の形態について説明する。
【００１６】
図１は、本発明の実施の形態の一例におけるディジタルテレビ放送のテレビジョン信号受信装置を示すブロック図である。１はテレビジョン信号受信装置であり、チューナ部２、デマルチプレクサ３、ビデオデコーダ４、オーディオデコーダ５、ＥＰＧデコーダ６、メモリ７、表示制御部８、デジタル／アナログ変換部９、画像表示部１０、音声出力部１１、受光部１２、リモートコントローラ１３、システム制御部１４、カーソル制御部１５、スクロール制御部１６、ＥＰＧ画面構成部１７、ジャンル処理部１８及びこれら構成部を接続するバス１９からなっている。なお、テレビジョン信号受信装置１には、リモートコントローラ１３と実質的に同じ構成である操作部が設けられているが、説明の便宜上その説明を省略する。
【００１７】
チューナ部２は、アンテナからの放送データを受信し、復調、誤り訂正等の処理を実行する。チューナ部２で処理されたデータ、トランスポートストリーム（ＴＳ）はデマルチプレクサ３に供給され、即ち複数チャンネル分の映像データ、音声データ及びＥＰＧデータ等が時分割多重化されているＴＳから、所望のチャンネルの映像データＤ１，音声データＤ２及びＥＰＧデータＤ３を取り出す。そして、映像データＤ１はビデオデコーダ４に供給し、音声データＤ２はオーディオデコーダ５に供給し、ＥＰＧデータＤ３はメモリに供給する。
【００１８】
ビデオデコーダ４は、デマルチプレクサ３からの映像データＤ１を復号化し、この復号化されたデータを表示制御部８に供給して画像表示部１０、即ちモニタ画面上に映像を映し出すようにしている。オーディオデコーダ５は、デマルチプレクサ３からの音声データＤ２を復号化し。この復号化されたデータをデジタル／アナログ変換部９に供給して音声出力部１１，即ちスピーカにより音声を出力する。
【００１９】
ＥＰＧデコーダ６は、デマルチプレクサ３からのＥＰＧデータＤ３を復号化してＥＰＧ表示データＤ４を生成するが、ＥＰＧデータＤ３はＥＰＧデコーダ６に供給される前に、一旦、メモリ７に記憶される。そして、メモリ７に記憶されたＥＰＧデータＤ３は、リモートコントローラ１３の操作によりＥＰＧ表示のスタート指示があった場合にＥＰＧデコーダ６に入力される。従って、ＥＰＧデコーダ６は、メモリ７からのＥＰＧデータＤ３を復号化してＥＰＧ表示データＤ４を生成しＥＰＧ画面構成部１７へ供給する。ＥＰＧ画面構成部１７はＥＰＧ表示データＤ４に基づいてＥＰＧ画面を構成する。この構成されたデータは、表示制御部８に供給され画像表示部１０において後述するようにモニタ画面上に表示される。
【００２０】
画面表示部１０で表示されるＥＰＧは、社団法人電波産業会（通称ＡＲＩＢ）標準規格「デジタル放送に使用する番組配列情報」等でなされているデータ構造で伝送され、多数のチャンネル番号、番組タイトル、時間等の多種多様の情報からなる。また、図２で示す予め決められた番組ジャンルコード表の分類コードに基づくジャンルデータＤ５はＥＰＧデコーダ６によって得られるが、このジャンルデータＤ５はジャンル処理部１８に一旦記憶され、システム制御部１４の制御によって編集され、ジャンル検索用データＤ６としてＥＰＧ画面構成部１７に供給されるようになっている。
【００２１】
番組ジャンルコード表は、図２で示すように大ジャンル２０と中ジャンル２１の２種類があり、大ジャンル２０は、「ニュース・報道」「スポーツ」「情報ワイドショー」「ドラマ」「音楽」「バラエティ」「映画」「アニメ・特撮」「ドキュメンタリー・教養」「劇場公演」「趣味・教育」「福祉」「その他」の１３種に分けられている。そして、夫々の大ジャンル２０には多数の中ジャンル２１が存在する。
【００２２】
リモートコントローラ１３の操作により図３で示すジャンル検索用画面３０を画像表示部１０の画面上に呼び出すようになっている。このジャンル検索用画面３０には、操作画面表３１が付され操作すべき画面が選択的に読み出されるようになっている。選択、設定できるジャンルは４種までであり、且つ１種当たり大ジャンル、中ジャンルの組み合わせで最大３種までの選択、設定ができるようになっている。例えば、ジャンル１では大ジャンルの「スポーツ」のみである。ジャンル２では大ジャンルの「アニメ・特撮」を第一番目▲１▼とし、大ジャンルの「映画」、中ジャンルの「洋画」の組み合わせを第二番目▲２▼というように２種を設定する。以下、ジャンル３は「スポーツ」の「サッカー」「野球」のジャンルを設定するというように、ジャンル検索項目が編集することができる。そして、この例ではジャンル１〜３の３種まで設定したが必要に応じてジャンル４までの設定ができるようになっている。
【００２３】
図４は、図３の操作画面表３１からジャンル３を選択した場合を示す。ここで４０は、ジャンル検索用画面３０でジャンル３における大ジャンルを選択設定するために大ジャンルの内容が読み出されて表示され、ジャンル３の位置に表示されたことを示す大ジャンル表である。この例では、「スポーツ」が選択され設定されたことを示す。図示しないが、例えば、ジャンル３での中ジャンルの選択、設定では、中ジャンルの内容がジャンル３の位置に読み出されて表示される。そこで、同様に中ジャンル「サッカー」「野球」を選択、設定するようになっている。
【００２４】
図４で選択して設定が完了した画面は、リモートコントローラ１３の操作によりジャンル検索用データＤ６として得られる。このデータＤ６は、表示データＤ４と共にＥＰＧ画面構成部１７に供給されて、図５で示すように番組情報と共に表示される。この画面５０において、５１は番組表であり、横軸５２が放送時間で縦軸５３がチャンネルであり、その放送時間とチャンネルに相当する番組のタイトルが表示されている。画面５０の下方には、上述したジャンル検索用データＤ６によって作成されたジャンル選択用画面５４が表示されるようになっている。
【００２５】
画面５０において目的とするジャンルを選択するには、リモートコントロール１３によりカーソル制御部１５を制御して、例えば、ジャンル選択用画面５４のジャンル１に移動させ、そこで決定の操作を行えばシステム制御部１４が「スポーツ」のジャンルの番組タイトルのみ、即ち選ばれない他のジャンルの番組タイトルを消去して画像表示部１０で表示するように表示制御部８を制御する。これは、ＥＰＧ画面構成部１７が各番組情報に付されたジャンルのインデックスデータを判別することによって得られる。
【００２６】
図６は、上述したジャンルの選択結果を示す説明図である。画面６０では、選ばれないジャンルの番組タイトルが消去されジャンル１で指定した「スポーツ」のみの番組表６１が表示されている。このようにしてジャンル１で指定した番組表６１がモニタ画面上に表示される。次に、画面６０の下方に表示されているジャンル選択用画面５４において、例えば、ジャンル３の第一番目▲１▼を選択すれば、ジャンル３を選択すれば｛スポーツ｝の中の「サッカー」の番組タイトルのみが表示される（図示せず）。
【００２７】
ここで、リモートコントローラ１４によりカーソル制御部１５を制御して、番組表６１で表示されているものから所望の番組タイトルを選択して決定すれば、チューナ部２は放送送信側から伝送されるテレビジョン信号から選択された番組タイトルに相当するチャンネルを選択し、その映像データＤ１、音声データＤ２がビデオデコーダ４、オーディオデコーダ５で復号化され、表示制御部８、デジタル／アナログ変換部９を介して画像表示部１０、音声出力部１１に供給される。
【００２８】
画像表示部１０で表示されるＥＰＧは、リモートコントローラ１３によってスクロール制御部１６を制御して横軸５２方向あるいは縦軸５３方向にスクロールされる。これは、ＥＰＧデコーダ６がメモリ７よりスクロールされた新しいＥＰＧデータＤ３を読み出して新しいＥＰＧ表示データＤ４を生成することにより新、旧の番組表の入れ替えを連続的に実行する。この際、ジャンル選択用画面５４では、選択設定されたジャンルが固定されているため、システム制御部１４がＥＰＧ画面構成部１７から得られるデータを選択されたジャンルの番組タイトルのみ表示されるように制御する。従って、画像表示部１０にはスクロールされても選択されたジャンルに相当する番組タイトルにみが表示される。
【００２９】
次に、視聴者の取り扱い方法について、図７のリモートコントローラの説明図、図８のフローチャートに基づき説明する。
【００３０】
視聴者は、リモートコントローラ１３の電源ボタン７０を操作してテレビジョン信号受信装置１を作動させれば、テレビジョン信号受信装置１がテレビジョン信号と共に伝送される番組情報、即ちＥＰＧが受信される。視聴者はＥＰＧボタン７１を操作してＥＰＧからのジャンルの選択設定をして番組選択を開始する。
【００３１】
ステップＳ１では、前述した図３で示すようにジャンル検索用画面３０が表示されているのでその操作画面表３１から例えばジャンル１を選択決定する。
【００３２】
視聴者は、ステップＳ２において、カーソルボタン７２を操作してカーソルを大ジャンル表４０の例えば「スポーツ」に移動し、決定ボタン７３を操作して決定する。次には中ジャンル決定せず、ジャンル２へと移動させる。ジャンル２においては、そこで、大ジャンル表４０を開示し、同様に「アニメ・特撮」「映画」の２種を選択設定し、中ジャンル表（図示せず）を開示して「洋画」を選択設定する。以下順に、この選択設定を行い、完了の操作を行えば図５で示すように番組表５１とジャンル選択用画面５４とが同時に表示される。
【００３３】
視聴者は、ステップＳ３において、ジャンル選択用画面５４から例えば、ジャンル１を選択すると図６で示すように「スポーツ」の番組タイトルのみが表示される。
【００３４】
最後に、視聴者は、ステップＳ４で示すように、番組表６１から所望の番組タイトルをカーソルボタン７２、決定ボタン７３の操作によって選択決定する。この選択決定された番組タイトルのチャンネルが受信されて当該番組タイトルの映像が画像表示部１０で映し出され、音声が音声出力部１１で送出される。
【００３５】
本発明の実施の態様の一例によれば、画像表示部１０に表示されたＥＰＧから大ジャンル、中ジャンルという複数層のジャンルから所望のジャンルの検索によって、所望の番組みを選択する場合、ジャンル検索用画面３０において予め視聴頻度の高いジャンルを選んで設定しておくことができる。この設定結果は、ジャンル選択用画面５４として番組表５１、６１と同一画面上に表示され、同一画面上でのジャンルの選択ができる。そして、この選択によって選ばれた番組タイトルが表示された番組表６１を直接、カーソルにより検索を行って所望のジャンルの選択設定を行うことができる。
【００３６】
また、スクロールしても新たに表示される番組タイトルは選択されたジャンルのみが自動的に表示されるので検索の範囲を変更しても改めてジャンル選択用画面５４で改めて設定し直す必要が無い。
【００３７】
本発明の実施の態様の一例では、選択決定された番組タイトルのチャンネルは直ちに画像表示部１０で画像が映し出され、音声出力部１１で音声が送出され
たが、選択決定された番組タイトルをタイマー録画によって録画されるようにすることもできる。
【００３８】
また、本発明の実施の態様の一例では、番組情報データはテレビジョン信号と共に伝送したが、これに限定されず、インターネットで伝送してもよく、更にＣＤ−ＲＯＭ等の記録媒体で配布されるものを利用しても良い等種々の方法がある。
【００３９】
更に、本発明の実施の態様の一例では、画像表示部１０、音声出力部１１はテレビジョン信号受信装置１と一体としたが別体であってもよい。
【００４０】
【発明の効果】
上述したように、本発明の請求項１によれば、表示手段により表示されたジャンル検索用画面において、大ジャンル、中ジャンルという複数層で且つ、夫々が多数のジャンルからなる極めて複雑なものから、予め、視聴頻度の高いジャンルを複数選び、その結果をジャンル選択用画面として番組表と同一画面上に表示することができる。そして、この画面で選ばれない番組タイトルを消し込み選ばれた番組を表示するようにしたため、以下の効果がある装置を提供できる。
【００４１】
第１に、視聴者は、使用頻度の高いジャンルを予め検索して設定しておくことにより、ジャンル別から所望の番組タイトルを選ぶに当たり、その都度、極めて多数のジャンルに中から選択していくという面倒な操作をなくすことができる。
【００４２】
第２に、視聴者は、同一画面上で番組情報とジャンル選択用画面との相関関係、即ち、全体的にどの程度の選択すべき番組タイトルがあるのか、どの程度の選択がなされているのかを直視できるので、多数の番組情報から迷わずに所望の番組タイトルを選択できる。
【００４３】
また、画面をスクロールした場合に新たに表示される番組タイトルは、選択されたジャンルのみが自動的に表示されるため、チャンネル、放送時間等を変更して検索範囲を拡大しても視聴者が改めてジャンル検索操作をする必要が無い。従って、視聴者は簡単な操作で検索範囲を拡大して所望の番組タイトルの選択ができる装置を提供できる。
【００４４】
上述したように、本発明の請求項２によれば、表示手段により表示されたジャンル検索用画面において、多数のジャンルから予め、視聴頻度の高いジャンルを複数選び、その結果をジャンル選択用画面として番組表と同一画面上に表示することができる。そして、この画面で選ばれない番組タイトルを消し込み選ばれた番組を表示するようにしたため、以下の効果がある装置を提供できる。
【００４５】
第１に、視聴者は、使用頻度の高いジャンルを予め検索して設定しておくことにより、ジャンル別から所望の番組タイトルを選ぶに当たり、その都度、多数のジャンルの中から選択していくという面倒な操作をなくすことができる。
【００４６】
第２に、視聴者は、同一画面上で番組情報とジャンル選択用画面との相関関係、即ち、全体的にどの程度の選択すべき番組タイトルがあるのか、どの程度の選択がなされているのかを直視できるので、多数の番組情報から迷わずに所望の番組タイトルを選択できる。
【００４７】
本発明の請求項３によれば、請求項２において、分類データは大分類、中分類というように複数層からなる複雑で極めて多数のジャンルからでも予めジャンルを設定しておくことができる。そのため、視聴者はジャンル別から所望の番組タイトルを選ぶに当たり、その都度、極めて多数のジャンルの中から選択していくという面倒な操作をなくした装置を提供できる。
【００４８】
本発明の請求項４によれば、表示手段により表示されたジャンル検索用画面において、大ジャンル、中ジャンルという複数層で且つ、夫々が多数のジャンルからなる極めて複雑なものから、予め、視聴頻度の高いジャンルを複数選び、その結果をジャンル選択用画面として番組表と同一画面上に表示することができる。そして、この画面で選ばれない番組タイトルを消し込み選ばれた番組を表示するようにしたため、以下の効果がある方法を提供できる。
【００４９】
第１に、視聴者は、使用頻度の高いジャンルを予め検索して設定しておくことにより、ジャンル別から所望の番組タイトルを選ぶに当たり、その都度、極めて多数のジャンルに中から選択していくという面倒な操作をなくすことができる。
【００５０】
第２に、視聴者は、同一画面上で番組情報とジャンル選択用画面との相関関係、即ち、全体的にどの程度の選択すべき番組タイトルがあるのか、どの程度の選択がなされているのかを直視できるので、多数の番組情報から迷わずに所望の番組タイトルを選択できる。
【００５１】
また、画面をスクロールした場合に新たに表示される番組タイトルは、選択されたジャンルのみが自動的に表示されるため、チャンネル、放送時間等を変更して検索範囲を拡大しても視聴者が改めてジャンル検索操作をする必要が無い。従って、視聴者は簡単な操作で検索範囲を拡大して所望の番組タイトルの選択ができる方法を提供できる。
【００５２】
上述したように、本発明の請求項５によれば、表示手段により表示されたジャンル検索用画面において、多数のジャンルから予め、視聴頻度の高いジャンルを複数選び、その結果をジャンル選択用画面として番組表と同一画面上に表示することができる。そして、この画面で選ばれない番組タイトルを消し込み選ばれた番組を表示するようにしたため、以下の効果がある装置を提供できる。
【００５３】
第１に、視聴者は、使用頻度の高いジャンルを予め検索して設定しておくことにより、ジャンル別から所望の番組タイトルを選ぶに当たり、その都度、多数のジャンルに中から選択していくという面倒な操作をなくすことができる。
【００５４】
第２に、視聴者は、同一画面上で番組情報とジャンル選択用画面との相関関係、即ち、全体的にどの程度の選択すべき番組タイトルがあるのか、どの程度の選択がなされているのかを直視できるので、多数の番組情報から迷わずに所望の番組タイトルを選択できる。
【００５５】
本発明の請求項６によれば、請求項５において、分類データは大分類、中分類というように複数層からなる複雑で極めて多数のジャンルからでも予めジャンルを設定しておくことができる。そのため、視聴者はジャンル別から所望の番組タイトルを選ぶに当たり、その都度、極めて多数のジャンルの中から選択していくという面倒な操作をなくした方法を提供できる。
【図面の簡単な説明】
【図１】本発明の実施の形態の一例を示すテレビジョン信号受信装置のブロック図である。
【図２】本発明の実施の形態の一例における分類データに基づく番組ジャンルコードを示す説明図である。
【図３】本発明の実施の形態の一例におけるジャンル検索のためのジャンル検索用画面を示す説明図である。
【図４】本発明の実施の形態の一例におけるジャンル設定状態を示す説明図である。
【図５】本発明の実施の態様の一例におけるジャンル選択前の状態を示す説明図である。
【図６】本発明の実施の形態の一例におけるジャンル選択結果を示す説明図である。
【図７】本発明の実施の形態の一例に適用されるリモートコントローラの操作面を示す説明図である。
【図８】本発明の実施の形態の一例における動作を示すフローチャートである。
【符号の説明】
１          テレビジョン信号受信装置
６          ＥＰＧデコーダ
７          メモリ
８          表示制御部
１０        画像表示部
１１        音声出力部
１３        リモートコントローラ
１４        システム制御部
１５        カーソル制御部
１６        スクロール制御部
１７        ＥＰＧ画面処理部
１８        ジャンル処理部
２０        大ジャンル
２１        中ジャンル
３０        ジャンル検索用画面
３１        操作画面表
４０        大ジャンル表
５１、６１  番組表
５４        ジャンル選択用画面
７０        電源ボタン
７１        ＥＰＧボタン
７２        カーソルボタン
７３        決定ボタン
【図１】
2004153432.tif 000003
【図２】
2004153432.tif 000004
【図３】
2004153432.tif 000005
【図４】
2004153432.tif 000006
【図５】
2004153432.tif 000007
【図６】
2004153432.tif 000008
【図７】
2004153432.tif 000009
【図８】
2004153432.tif 000010